(57)【特許請求の範囲】
【請求項１】
ケーソンの蓋コンクリート上に、上部コンクリートを打設して構築されたケーソン構造物の作業口の形成方法であって、自走式のさく孔装置によって、開口すべき作業口の輪郭に沿って、所定間隔で、上部コンクリートから蓋コンクリートまで貫通する小径孔をさく孔し、該小径孔を一孔おきにガイドとして、両隣の小径孔まで達する大径孔を上部コンクリートにさく孔して作業口の上部コンクリート部分の周壁を形成し、該周壁の内側の上部コンクリートを破砕機で破砕し、生じたコンクリート破砕物を搬出し、その後、小径孔の内側の蓋コンクリートを破砕機で破砕し、生じたコンクリート破砕物をケーソン内の充填物とすることを特徴とするケーソン構造物の作業孔の形成方法。
【発明の詳細な説明】
【０００１】
【発明の属する技術分野】
本発明は、ケーソンを利用して構築された防波堤等の構造物の点検、補修その他の作業のために用いられる作業口の形成方法に関するものである。
【０００２】
【従来の技術】
ケーソンを利用して構築される構造物には、海底に捨石による基礎を構築し、この基礎の上に中空コンクリート構造のケーソンを連続して設置し、ケーソンの内部に中詰の砂を充填した後、各ケーソン上部を蓋コンクリートで蓋をして密閉し、ケーソンの蓋コンクリートの上を覆うように上部コンクリートを打設して堤体を構成し、この堤体の外洋側にはテトラポッド等の消波ブロックを積み上げて堤体を波浪から保護するようにした防波堤等がある。
【０００３】
この防波堤では、台風の襲来等の荒天時の大波によって消波ブロックが移動したり、あるいは揺動することにより、ケーソンの外洋に面する側壁が突き破られて破損し、中詰の砂が流出、消滅して、ケーソンが堤体としての機能を失なうおそれがある。
【０００４】
このような破損したケーソンを補修して堤体を復旧させるためには、上部コンクリート及び蓋コンクリートを貫通して、ケーソン内部の点検及び修復作業のために作業者が出入する作業口を形成した後、ケーソンの内側から破損個所を袋詰めコンクリートで塞ぎ、中詰の砂の流失で空洞となったケーソン内部に中詰のコンクリートを充填するという作業が行われている。
【０００５】
従来、この作業口の形成作業は、コンクリートコアボーリング機械を使用し、上部コンクリート上から、開口予定の作業口の輪郭に沿って、直径約２ｍの孔を連続させて穿孔することにより作業口の周壁を形成し、作業口の周壁の内側のコンクリートを破砕機で破砕するという方法により行われていた。
【０００６】
【発明が解決しようとする課題】
しかし、コンクリートコアボーリング機械を使っての穿孔は作業能率が悪く長時間を要し、しかも、湿式穿孔であるので、フラッシング用水と共に繰粉が流出して海洋を汚染するおそれがある。
【０００７】
また、外洋に面した防波堤上の作業では、天候が悪化して高波や大きなうねりが押し寄せてくることが予想されるときには、波にさらわれる危険を避けるために、作業者の退避と作業用機械の撤退を迅速に行う必要があるが、コンクリートコアボーリング機械は機動性が乏しいので、迅速な撤退が困難であるという問題がある。
【０００８】
この発明は、ケーソン構造物の作業口の作成作業におけるかかる問題を解決するものであって、能率良く且つ安全に作業を行うことができ、環境汚染を防止することのできるケーソン構造物の作業口の形成方法を提供することを目的とする。
【０００９】
【課題を解決するための手段】
この発明では、ケーソンの蓋コンクリート上に、上部コンクリートを打設して構築されたケーソン構造物の作業口を形成する方法として、自走式のさく孔装置によって、開口すべき作業口の輪郭に沿って、所定間隔で、上部コンクリートから蓋コンクリートまで貫通する小径孔をさく孔し、次に、この小径孔を一孔おきにガイドとして、両隣の小径孔まで達する大径孔を上部コンクリートにさく孔して作業口の上部コンクリート部分の周壁を形成し、この周壁の内側の上部コンクリートを破砕機で破砕し、生じたコンクリート破砕物を搬出し、その後、小径孔の内側の蓋コンクリートを破砕機で破砕し、生じたコンクリート破砕物をケーソン内の充填物とすることとすることにより上記課題を解決している。
【００１０】
この作業口の形成方法では、自走式のさく孔装置によって、まず小径孔をさく孔し、次に、この小径孔を一孔おきにガイドとして利用し大径孔をさく孔するので、さく孔時間を短縮することができ作業能率が良い。また、さく孔時の繰粉はさく孔装置の集塵器で捕集され、上部コンクリートの破砕により生じたコンクリート破砕物は外部へ搬出され、蓋コンクリートの破砕により生じたコンクリート破砕物はケーソン内の充填物とするので、廃棄物による海洋汚染を生じない。
【００１１】
さく孔には自走式のさく孔装置を用いているので機動性がよく、天候が悪化するような場合には撤退を迅速に行うことができ、作業の安全性が向上する。
【００１２】
【発明の実施の形態】
図１は本発明の実施の一形態であるケーソンを利用して構築された防波堤に作業口を作成する方法の説明図、図２は作業口を形成する場合の小径孔と大径孔の配置を示す平面図、図３はさく孔部分の縦断面図、図４はケーソンの平面図、図５は大径孔用ビットの斜視図、図６は作業口の縦断面図である。
【００１３】
ここで防波堤１は、図１に示すように、海底２に捨石による基礎３を構築し、この基礎の上に図４のような中空コンクリート構造のケーソン６を連続して設置し、ケーソン６の内部に中詰の砂を充填した後、各ケーソン６上部を蓋コンクリート７で蓋をして密閉し、ケーソン６の蓋コンクリート７の上を覆うように上部コンクリート８を打設して堤体５を構成し、この堤体５の外洋４側にはテトラポッド等の消波ブロック９を積み上げて堤体５を波浪から保護するようになっている。
【００１４】
一般に、蓋コンクリート７は厚さ５０ｃｍ、上部コンクリートは厚さ２〜３ｍ程度である。
この防波堤１に、ケーソン６の側壁１１の破損を点検、修復するための円形作業口１２を作成する場合には、まず、図２のように開口すべき作業口１２の輪郭に沿ったピッチサークル１３上に、所定間隔でさく孔位置をマーキングし、油圧クローラドリル２０のブーム２１を旋回、伸縮させてさく岩機２２のロッド２３先端のビット２４をマーキングしたさく孔位置に位置決めし、図３のように上部コンクリート８から蓋コンクリート７まで貫通する小径孔１４を垂直にさく孔する。
【００１５】
さく孔時に発生する繰粉は、すべて油圧クローラドリル２０の集塵機で回収される。
次に、図５に示すような先端に小径のパイロットガイド３１、中央に大径部３２を備えた大径ビット３０をさく岩機２２のロッド２３に取付け、小径孔１４の一つをガイドとして、両隣の小径孔１４まで達する大径孔１５を上部コンクリート８にさく孔する。小径孔１４を一孔おきにガイドとして、大径孔１５のさく孔を繰り返し、作業口１２の上部コンクリート部分の周壁１６を形成する。
【００１６】
直径２ｍ程度の作業口１２を形成するには、例えば、直径７５ｍｍの小径孔１４を１２５ｍｍピッチで配列し、直径２００ｍｍの大径孔１５を２５０ｍｍピッチで配列すればよい。なお、作業口１２の形状は円形以外でもよく、小径孔１４の直径や間隔も適宜選択することができる。
【００１７】
さく孔時に発生する繰粉は、すべて油圧クローラドリル２０の集塵機で回収される。
形成された周壁１６の内側の上部コンクリート８は油圧ブレーカ等の破砕機で破砕し、生じたコンクリート破砕物を上部からダンプトラック等の運搬手段で搬出する。
【００１８】
この上部コンクリート８部分の大径孔１５のさく孔と破砕作業は、安全のため、上部コンクリート８の厚さに応じて数次に分けて行うとよい。
その後、小径孔１４の内側の蓋コンクリート７を油圧ブレーカ等の破砕機で破砕して、作業口１２を形成する。このとき生じたコンクリート破砕物は少量でケーソン６内部に収容可能であるので、ケーソン６内の充填物として使用する。
【００１９】
この方法によれば、小径孔１４は所定間隔でそれぞれ独立してさく孔されるので、さく孔時には、隣接孔による干渉がなく正確且つ容易にさく孔することができる。また、大径孔１５さく孔時には、小径孔１４でガイドされ、また大径孔１５同志が隣接することがないので、さく孔中に隣の孔の方への逃げも生じない。このようにして、小径孔１４と大径孔１５とで周壁１６を形成するので、さく孔時間を短縮することができ作業能率が良い。
【００２０】
また、さく孔時の繰粉は油圧クローラドリル２０の集塵器で捕集され、上部コンクリート８の破砕により生じたコンクリート破砕物は海洋投棄せず外部へ搬出され、蓋コンクリート７の破砕により生じたコンクリート破砕物はケーソン６内の充填物とするので、廃棄物による海洋汚染を生じない。
【００２１】
さく孔に用いている油圧クローラドリル２０は自走可能なので機動性がよく、天候が悪化するような場合には撤退を迅速に行うことができ、作業の安全性が向上する。
【００２２】
【発明の効果】
以上説明したように、本発明のケーソン構造物の作業口の形成方法によれば、さく孔時間を短縮することができ作業能率が良い。また、さく孔時の繰粉はさく孔装置の集塵器で捕集され、上部コンクリートの破砕により生じたコンクリート破砕物は外部へ搬出され、蓋コンクリートの破砕により生じたコンクリート破砕物はケーソン内の充填物とするので、廃棄物による海洋汚染を生じない。
【００２３】
さく孔には自走式のさく孔装置を用いているので機動性がよく、天候が悪化するような場合には撤退を迅速に行うことができ、作業の安全性が向上する。
【図面の簡単な説明】
【図１】本発明の実施の一形態であるケーソンを利用して構築された防波堤に作業口を作成する方法の説明図である。
【図２】作業口を形成する場合の小径孔と大径孔の配置を示す平面図である。
【図３】さく孔部分の縦断面図である。
【図４】ケーソンの平面図である。
【図５】大径孔用ビットの斜視図である。
【図６】作業口の縦断面図である。
【符号の説明】
１      防波堤
２      海底
３      基礎
４      外洋
５      堤体
６      ケーソン
７      蓋コンクリート
８      上部コンクリート
９      消波ブロック
１１    側壁
１２    作業口
１３    ピッチサークル
１４    小径孔
１５    大径孔
１６    周壁
２０    油圧クローラドリル
２１    ブーム
２２    さく岩機
２３    ロッド
２４    ビット
３０    大径ビット
３１    パイロットガイド
３２    大径部
【図１】
0003803172.tif 000002
【図２】
0003803172.tif 000003
【図３】
0003803172.tif 000004
【図４】
0003803172.tif 000005
【図５】
0003803172.tif 000006
【図６】
0003803172.tif 000007